(57)【要約】【課題】例えば、通話期間中の受信番組部分を録画しておいて後で再生視聴でき、この再生視聴の忘れを極力回避する。【解決手段】ＴＶ視聴機能付き携帯電話は、テレビ放送受信中に着信やメール受信などのイベントが発生すると、通話期間中或いはメール画面表示中の期間、受信番組を録画する処理を行う。着信履歴画面（又は、受信メール履歴画面）においては、着信日時、相手先名、録画ファイルの有無を示すアイコンなどが表示される。すなわち、ユーザは、着信履歴画面を見ることにより、着信履歴を知ると同時に、何時、誰と通話中に番組録画が実行されたかを知ることができる。図４に示す選択状態で録画ファイル再生キーを押下すると、録画ファイル再生画面へ遷移する。【選択図】図４
2010239637.tif 000002
【特許請求の範囲】
【請求項１】
テレビ放送を受信する放送受信部と、受信したテレビ放送を記録媒体に録画する録画機能部と、携帯電話部と、を備えた放送受信機能付き携帯電話において、放送視聴中に前記携帯電話部の側で放送視聴を阻害するイベントが発生した場合に、当該放送の録画中であれば前記イベントに起因する視聴阻害区間に関する時間情報を記録し、録画中でなければ前記イベントに起因する視聴阻害区間の録画を実行する記録手段と、前記携帯電話部の側のイベントに関する履歴情報を表示する履歴画面上で、該当イベントの表示に対応して前記視聴阻害区間の録画が存在する旨の表示を行う表示手段と、を備えたことを特徴とする放送受信機能付き携帯電話。
【請求項２】
請求項１に記載の放送受信機能付き携帯電話において、前記履歴画面上の視聴阻害区間の録画が存在する旨の表示がなされた箇所が指定されて再生指示がなされたときに、当該視聴阻害区間の録画を再生することを特徴とする放送受信機能付き携帯電話。
【請求項３】
テレビ放送を受信する放送受信部と、受信したテレビ放送を記録媒体に録画する録画機能部と、携帯電話部と、を備えた放送受信機能付き携帯電話において、放送視聴録画中に前記携帯電話部の側で放送視聴を阻害するイベントが発生した場合に当該イベントに起因する視聴阻害区間に関する時間情報を記録する記録手段と、前記録画の再生に際し、前記視聴阻害区間の再生箇所で該当イベントについての情報を表示する手段と、を備えたことを特徴とする放送受信機能付き携帯電話。
【請求項４】
請求項３に記載の放送受信機能付き携帯電話において、前記該当イベントについての情報が表示されているときに所定の操作を行うと、前記該当イベントについての詳細情報を表示することを特徴とする放送受信機能付き携帯電話。
【請求項５】
請求項３又は請求項４に記載の放送受信機能付き携帯電話において、前記録画の再生に際し、所定の操作がなされたときに、次の視聴阻害区間の開始箇所まで再生をスキップすることを特徴とする放送受信機能付き携帯電話。
【請求項６】
請求項３乃至請求項５のいずれかに記載の放送受信機能付き携帯電話において、前記録画の再生に際し、視聴阻害区間だけを抽出して再生することを特徴とする放送受信機能付き携帯電話。
【発明の詳細な説明】
【技術分野】
【０００１】
この発明は、受信した放送番組を録画する録画機能部を備えた放送受信機能付き携帯電話に関する。
【背景技術】
【０００２】
従来より、携帯電話にテレビ視聴機能及び録画機能を備えたものが提案されている（特許文献１参照）。
【先行技術文献】
【特許文献】
【０００３】
【特許文献１】特開２００５−２６０７４１号公報
【発明の概要】
【発明が解決しようとする課題】
【０００４】
ところで、放送受信機能付き携帯電話において、テレビ視聴中に着信があってそのまま通話を行うことがあり、この場合、通話期間中の番組は見られないことになる。このため、通話期間中の受信番組部分を録画しておいて後で再生視聴できるようにすることが考えられるが、この録画ファイルを単にデータフォルダに格納しておくのでは、再生視聴を忘れてしまうことが多いと考えられる。
【０００５】
この発明は、上記の事情に鑑み、例えば、通話期間中の受信番組部分を録画しておいて後で再生視聴でき、この再生視聴の忘れを極力回避することができる放送受信機能付き携帯電話を提供することを目的とする。
【課題を解決するための手段】
【０００６】
この発明の放送受信機能付き携帯電話は、上記課題を解決するために、テレビ放送を受信する放送受信部と、受信したテレビ放送を記録媒体に録画する録画機能部と、携帯電話部と、を備えた放送受信機能付き携帯電話において、放送視聴中に前記携帯電話部の側で放送視聴を阻害するイベントが発生した場合に、当該放送の録画中であれば前記イベントに起因する視聴阻害区間に関する時間情報を記録し、録画中でなければ前記イベントに起因する視聴阻害区間の録画を実行する記録手段と、前記携帯電話部の側のイベントに関する履歴情報を表示する履歴画面上で、該当イベントの表示に対応して前記視聴阻害区間の録画が存在する旨の表示を行う表示手段と、を備えたことを特徴とする（以下、この項において第１構成という）。
【０００７】
上記の構成であれば、携帯電話部の側のイベントに関する履歴情報を表示する履歴画面上で視聴阻害区間の録画が存在することをユーザは知ることができるので、再生視聴の忘れを極力回避することができる。
【０００８】
前記第１構成において、前記履歴画面上の視聴阻害区間の録画が存在する旨の表示がなされた箇所が指定されて再生指示がなされたときに、当該視聴阻害区間の録画を再生することとしてもよい。これによれば、前記履歴画面から直ちに録画再生を実行することができ、再生する録画ファイルをユーザがわざわざデータフォルダに探しに行く手間が省かれる。
【０００９】
また、この発明の放送受信機能付き携帯電話は、テレビ放送を受信する放送受信部と、受信したテレビ放送を記録媒体に録画する録画機能部と、携帯電話部と、を備えた放送受
信機能付き携帯電話において、放送視聴録画中に前記携帯電話部の側で放送視聴を阻害するイベントが発生した場合に当該イベントに起因する視聴阻害区間に関する時間情報を記録する記録手段と、前記録画の再生に際し、前記視聴阻害区間の再生箇所で該当イベントについての情報を表示する手段と、を備えたことを特徴とする（以下、この項において第２構成という）。
【００１０】
上記構成であれば、再生画面上でイベント発生の履歴を知ることができる。
【００１１】
前記第２構成において、前記該当イベントについての情報が表示されているときに所定の操作を行うと、前記該当イベントについての詳細情報を表示することとしてもよい。
【００１２】
これら構成において、前記録画の再生に際し、所定の操作がなされたときに、次の視聴阻害区間の開始箇所まで再生をスキップすることとしてもよい。
【００１３】
また、これら構成において、前記録画の再生に際し、視聴阻害区間だけを抽出して再生することとしてもよい。
【発明の効果】
【００１４】
この発明によれば、携帯電話部の側のイベントに関する履歴情報を表示する履歴画面上で視聴阻害区間の録画が存在することをユーザは知ることができるので、再生視聴の忘れを極力回避することができる。また、再生画面上でイベント発生の履歴を知ることができる。
【図面の簡単な説明】
【００１５】
【図１】この発明の実施形態のＴＶ付き携帯電話を示したブロック図である。
【図２】この発明の実施形態の処理内容を示したフローチャートである。
【図３】この発明の実施形態のイベント情報ファイルを示した説明図である。
【図４】この発明の実施形態の画面遷移例を示した説明図である。
【図５】この発明の実施形態の画面遷移例を示した説明図である。
【発明を実施するための形態】
【００１６】
以下、この発明の実施形態のＴＶ視聴機能付き携帯電話を図１乃至図５に基づいて説明する。
【００１７】
図１において、チューナ２１は、例えば、地上ディジタル放送を受信し、特定周波数の信号を取り出す。また、チューナ２１は、復調回路、逆インタリーブ回路、誤り訂正回路などを備えることにより、選択したディジタル変調信号を復調してトランスポートストリーム（ＴＳ）を出力する。
【００１８】
ＵＳＢインターフェイス１７に装着されたＵＳＢメモリ１８には、受信した番組（トランスポートストリーム）が録画ファイルとして格納される。記録ＴＳ生成部１３は、チューナ２１からトランスポートストリームを受けって前記ＵＳＢメモリ１８に記録する際に、不要なＴＳパケット（ＮＵＬＬパケットや目的外番組のパケット等）を除外して記録する。記録ＴＳ生成部１３の動作は、ＣＰＵ２５によって制御される。
【００１９】
ＴＳ読出部１４は、再生時において、録画ファイル（トランスポートストリーム）を前記ＵＳＢメモリ１８から読み出してデマルチプレクサ（ＤＥＭＵＸ）に供給する。ＴＳ読出部１４の動作は、ＣＰＵ２５によって制御される。
【００２０】
デマルチプレクサ１は、前記チューナ２１からのトランスポートストリーム或いはＴＳ
読出部１４からのトランスポートストリームを、例えばＭＰＥＧ４（Ｍｏｖｉｎｇ  Ｐｉｃｔｕｒｅ  Ｅｘｐｅｒｔｓ  Ｇｒｏｕｐ４）或いはＨ．２６４のビデオストリームやオーディオストリームなどのストリームと、セクションデータとに分離する。セクションフィルタ９は、前記セクションデータをＰＳＩ／ＳＩ（Ｐｒｏｇｒａｍ  Ｓｐｅｃｉｆｉｃ
Ｉｎｆｏｒｍａｔｉｏｎ／Ｓｅｒｖｉｃｅ  Ｉｎｆｏｒｍａｔｉｏｎ）とデータカルーセルとに分離する。
【００２１】
オーディオデコーダ４は、デマルチプレクサ１から出力されたＴＳパケットを復号し更にＤ／Ａ変換して音声信号を生成し、この音声信号を音声出力部（スピーカ等）５に供給する。ビデオデコーダ２は、入力されたＴＳパケットを復号して量子化係数や動きベクトルを求め、逆ＤＣＴ変換や動きベクトルに基づく動き補償制御などを行って映像データを出力する。スケーラ３は前記映像データを入力し、画像の大きさや解像度などを調整する。字幕デコーダ６はストリーム中の字幕データを復号して文字データを生成する。
【００２２】
ＰＳＩ／ＳＩ処理部１０は、ＰＳＩ／ＳＩを入力し、ＥＰＧ（Ｅｌｅｃｔｒｏｎｉｃ  Ｐｒｏｇｒａｍ  Ｇｕｉｄｅ）等に利用できるように加工処理を行う。ＳＩ格納メモリ１１は、前記ＰＳＩ／ＳＩの加工情報を格納する。データカルーセル受信処理部１２は、セクションフィルタ９で分離されたデータカルーセルを処理してデータ放送コンテンツを取得し、コンテンツバッファ１５に供給する。コンテンツバッファ１５は、データ放送コンテンツを一時的に記憶すると共に、更新されたデータ放送コンテンツの上書き処理等を行う。
【００２３】
ＢＭＬブラウザ１６はデータ放送の表示において起動される。番組連動型のデータ放送におけるデータ表示は、例えば、データ放送表示キー（ｄキー）が押下されたことを検出したとき行われる。データ放送においては、最初にエントリーコンポーネントに入れられているスタートアップモジュール（moduleＩＤ＝０）の取得が試みられ、得られたスタートアップ文書に基づいて画面作成が行われる。そして、ユーザがスタートアップ画面上の各種ボタン（「天気予報」「ニュース」等）を操作することで下位階層の表示が実行される。
【００２４】
また、ＢＭＬブラウザ１６は表示すべき文書（データ）をコンテンツバッファ１５に要求する。コンテンツバッファ１５は要求されたデータが存在すればそのデータを読み出してＢＭＬブラウザ１６に渡す。要求されたデータが無ければデータカルーセル受信処理部１２がトランスポートストリームから取り出す。なお、データカルーセル受信処理部１２はＤＳＭ−ＣＣ（digital storage media command and control ）方式で送られてくるデータを取り出す。
【００２５】
フレームメモリ７は、前記スケーラ４からの受信画像データ、字幕デコーダ６からの字幕データ、ＢＭＬブラウザ１６からのデータを入力し、各プレーンを生成して合成し、この合成映像データを映像表示部（液晶ディスプレイ等）８に供給する。また、図示しないＯＳＤ（オンスクリーンディスプレイ）回路は、ＣＰＵ２５から出力指示された文字情報や色情報に基づく映像データをフレームメモリ７に出力する。フレームメモリ７は、前記映像データを前記スケーラ３等からから出力される受信映像データに組み込む処理を行う。
【００２６】
操作部２６には、電源ＯＮ／ＯＦＦキー、十字キー（矢印キー）、数値キー、などの携帯電話として必要なキーの他、テレビＯＮキーなどが配置されている。録画／再生キーなどは例えば前記映像表示部８においてソフトキーとして配置される。
【００２７】
メモリ（例えば、ＲＡＭ、ＥＥＰＲＯＭ、フラッシュメモリ等）２８には、各種プログ
ラムやデータが格納される他、電話番号リスト、メールアドレスリスト、着信履歴、送信メール履歴、受信メール履歴などの情報が格納される。
【００２８】
ＣＰＵ２５は携帯電話部２７と情報の遣り取りを行い、例えば、電話番号リスト、メールアドレスリスト、着信履歴、送信メール履歴、受信メール履歴などの情報をメモリ２８に格納する。また、ＣＰＵ２５は、通常の手動操作録画や予約録画処理を実行する他、テレビ放送受信中に着信やメール受信などのイベントが発生すると、通話期間中或いはメール画面表示中などの期間（非テレビ視聴状態の間）、受信番組を録画する処理を行う。また、ＣＰＵ２５は、テレビ放送を受信表示しながら録画しているときに、着信やメール受信などのイベントが発生すると、通話期間中或いはメール画面表示中などの期間（非テレビ視聴状態の間）を示す時間情報を録画番組に対応付ける処理を実行する。
【００２９】
図２にＣＰＵ２５の処理の一例を示す。まず、受信番組の録画を開始し（ステップＳ１）、録画を停止したかどうかを判断する（ステップＳ２）。録画停止したなら処理を終了する。録画を停止しないなら、各種イベントの発生の有無を監視する（ステップＳ３）。各種イベントとは、例えば、音声着信、メール受信、目ざまし起動などである。イベントが発生した場合（ステップＳ４でＹＥＳ）、イベント内容とイベント発生時刻を記録する（ステップＳ５）。次に、アプリケーションが起動し且つそのアプリケーションの起動によってＴＶ視聴が阻害されたかどうかを判断する（ステップＳ６）。例えば、メール受信及びその閲覧を行うときには、そのためのアプリケーションが起動する。アプリケーションが起動したらアプリケーションの終了を監視し（ステップＳ７）。アプリケーションが終了したときには（ステップＳ８でＹＥＳ）、イベント終了時刻を記録する（ステップＳ９）。
【００３０】
上記処理により、例えば、図３に示すように、イベント情報ファイルが作成されることになる。このイベント情報ファイルは、例えば、着信履歴画面や受信メール履歴画面などを表示するときに利用される。
【００３１】
図４は、着信履歴画面から録画ファイル再生画面への遷移を示した説明図である。なお、図４中の「ピクト領域」には、アンテナマークなどが表示され、「ソフトキー領域」には、録画ファイル再生キーなどが配置され、「映像領域」には録画ファイル再生映像が表示され、「ＴＶパネル」には、ボリュームなどのボタンが配置される。
【００３２】
図４の着信履歴画面（又は、受信メール履歴画面）においては、着信日時、相手先名、録画ファイルの有無を示すアイコンなどが表示される。すなわち、ユーザは、着信履歴画面を見ることにより、着信履歴を知ると同時に、何時、誰と通話中に番組録画が実行されたか、或いは、どの番組を視聴しているときに誰から着信等があったかを知ることができる。図４の例であれば、ユーザは、テレビ視聴中に「田中○雄」から電話があって通話を行ったことを知り、且つ、通話期間中の番組が録画されていることを知る。ユーザは、操作部２６の十字キー（矢印キー）を押下することで、着信履歴内の所望の欄を選択する（カーソルを所望の欄に移動させる）ことができる。図４に示す選択状態で決定（ＯＫ）キーが押下されると、「田中○雄」に対する電話発信を促す画面に遷移するが、録画ファイル再生キーを押下すると、録画ファイル再生画面へ遷移する。また、録画ファイル再生画面の状態でクリアキーを押下すると、着信履歴画面（又は、受信メール履歴画面）に戻る。
【００３３】
先にも述べたが、テレビ試聴中に通話等を実行すると、通話期間中の受信番組が録画され（第１形態）、テレビ視聴で且つ録画も実行しているときに通話等を実行すると、通話期間等（テレビ不視聴期間）を示す時間情報が録画ファイルに関連付けられて記録される（第２形態）。
【００３４】
図５は画面遷移例を示している。図５に示す録画ファイル再生画面の状態で前記十字キー（矢印キー）における右キーを押下すると、再生映像はイベント発生時点にジャンプする（イベントが複数であれば次のイベント発生時点にジャンプする）。すなわち、前記第２形態での録画ファイルにおいて、前記時間情報に基づいてイベント発生時点にジャンプし、更に、イベント内容として「音声着信有り」を表示する。そして、このジャンプ画面上で決定（ＯＫ）キーを押下すると、前記イベントを生じさせた発信者についての着信履歴が表示され、この着信履歴の画面の状態でクリアキーを押下すると、前記ジャンプ画面に遷移する。また、前記ジャンプ画面上での再生においてイベント終了時点になると、録画ファイル再生画面に戻り、イベント内容として、「イベントなし」が表示される。また、録画ファイル再生画面において、メニュー画面を開いて「イベント一覧」を選択すると、録画ファイルの再生を維持しつつ、イベント一覧を表示する。このイベント一覧のなかの前記録画ファイルに関連するイベント上にはカーソルが載せられる。この状態で決定（ＯＫ）キーを押下すると、前記ジャンプ画面に遷移する。
【００３５】
上記の例では、着信履歴画面（又は、受信メール履歴画面）から録画ファイルを再生するように構成したが、これに限らない。ユーザは、図４の着信履歴画面を見ることにより、着信履歴を知ると同時に、何時、誰と通話中に番組録画が実行されたかを知るので、ユーザはデータファイルへ当該番組の録画ファイルを探しに行き、このデータファイル上から録画ファイルを再生するようにしてもよい。
【００３６】
また、上記の例では、右キーを押下することでイベント発生時点にジャンプして再生することとしたが、これに限らず、例えば、「イベント時点オート再生」といった項目（ボタン）を用意しておき、これが操作されたときに、前記イベント発生に関する時間情報に基づいて、イベント発生区間（視聴阻害区間）だけを抽出して再生することとしてもよい。
【００３７】
なお、地上波ディジタル放送に限らず、アナログ放送を受信する装置にも適用できる。
【符号の説明】
【００３８】
１３    記録ＴＳ生成部
１４    ＴＳ読出部
２５    ＣＰＵ
２７    携帯電話部
【図１】
2010239637.tif 000003
【図２】
2010239637.tif 000004
【図３】
2010239637.tif 000005
【図４】
2010239637.tif 000006
【図５】
2010239637.tif 000007
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
テレビ放送を受信する放送受信部と、
テレビ放送の受信中に放送視聴を阻害するイベントが発生したか否かを検知する検知部と、
前記放送視聴を阻害するイベントが発生した場合に、受信しているテレビ放送を録画する録画部と、
前記イベントの履歴情報を表示する履歴表示部と、
前記イベントの履歴情報を表示する場合において、前記録画部により録画されたテレビ放送があるときは、前記履歴情報に対して所定の情報を表示する表示制御部と、
前記所定の情報を選択する選択部と、
前記選択部により前記所定の情報が選択された場合に、前記録画部により録画されたテレビ放送を再生する再生部と、を備え、
前記表示制御部は、前記再生部によりテレビ放送が再生されている場合に、所定の操作を受け付けると、前記イベントの履歴情報を表示すること、
を特徴とする放送受信機能付き携帯電話。
【請求項２】
前記表示制御部は、前記再生部によりテレビ放送が再生されるときは、再生されたテレビ放送と前記イベントに関する情報とを表示すること、
を特徴とする請求項１に記載の放送受信機能付き携帯電話。
【手続補正２】
【補正対象書類名】明細書
【補正対象項目名】０００５
【補正方法】変更
【補正の内容】
【０００５】
この発明は、上記の事情に鑑み、再生視聴の忘れを極力回避することができる放送受信機能付き携帯電話を提供することを目的とする。
【手続補正３】
【補正対象書類名】明細書
【補正対象項目名】０００６
【補正方法】変更
【補正の内容】
【０００６】
この発明の放送受信機能付き携帯電話機は、上記課題を解決するために、テレビ放送を受信する放送受信部と、テレビ放送の受信中に放送視聴を阻害するイベントが発生したか否かを検知する検知部と、前記放送視聴を阻害するイベントが発生した場合に、受信しているテレビ放送を録画する録画部と、前記イベントの履歴情報を表示する履歴表示部と、前記イベントの履歴情報を表示する場合において、前記録画部により録画されたテレビ放送があるときは、前記履歴情報に対して所定の情報を表示する表示制御部と、前記所定の情報を選択する選択部と、
前記選択部により前記所定の情報が選択された場合に、前記録画部により録画されたテレビ放送を再生する再生部と、を備え、前記表示制御部は、前記再生部によりテレビ放送が再生されている場合に、所定の操作を受け付けると、前記イベントの履歴情報を表示すること、を備えたことを特徴とする
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
この発明によれば、再生視聴の忘れを極力回避することができる。
【手続補正１２】
【補正対象書類名】明細書
【補正対象項目名】００３７
【補正方法】変更
【補正の内容】
【００３７】
なお、地上波ディジタル放送に限らず、アナログ放送を受信する装置にも適用できる。
また、この発明の放送受信機能付き携帯電話は、テレビ放送を受信する放送受信部と、受信したテレビ放送を記録媒体に録画する録画機能部と、携帯電話部と、を備えた放送受信機能付き携帯電話において、放送視聴中に前記携帯電話部の側で放送視聴を阻害するイベントが発生した場合に、当該放送の録画中であれば前記イベントに起因する視聴阻害区間に関する時間情報を記録し、録画中でなければ前記イベントに起因する視聴阻害区間の録画を実行する記録手段と、前記携帯電話部の側のイベントに関する履歴情報を表示する履歴画面上で、該当イベントの表示に対応して前記視聴阻害区間の録画が存在する旨の表示を行う表示手段と、を備えたことを特徴とする（以下、この項において第１構成という）。
上記の構成であれば、携帯電話部の側のイベントに関する履歴情報を表示する履歴画面上で視聴阻害区間の録画が存在することをユーザは知ることができるので、再生視聴の忘れを極力回避することができる。
前記第１構成において、前記履歴画面上の視聴阻害区間の録画が存在する旨の表示がなされた箇所が指定されて再生指示がなされたときに、当該視聴阻害区間の録画を再生することとしてもよい。これによれば、前記履歴画面から直ちに録画再生を実行することができ、再生する録画ファイルをユーザがわざわざデータフォルダに探しに行く手間が省かれる。
また、この発明の放送受信機能付き携帯電話は、テレビ放送を受信する放送受信部と、受信したテレビ放送を記録媒体に録画する録画機能部と、携帯電話部と、を備えた放送受信機能付き携帯電話において、放送視聴録画中に前記携帯電話部の側で放送視聴を阻害するイベントが発生した場合に当該イベントに起因する視聴阻害区間に関する時間情報を記録する記録手段と、前記録画の再生に際し、前記視聴阻害区間の再生箇所で該当イベントについての情報を表示する手段と、を備えたことを特徴とする（以下、この項において第２構成という）。
上記構成であれば、再生画面上でイベント発生の履歴を知ることができる。
前記第２構成において、前記該当イベントについての情報が表示されているときに所定の操作を行うと、前記該当イベントについての詳細情報を表示することとしてもよい。
これら構成において、前記録画の再生に際し、所定の操作がなされたときに、次の視聴阻害区間の開始箇所まで再生をスキップすることとしてもよい。
また、これら構成において、前記録画の再生に際し、視聴阻害区間だけを抽出して再生することとしてもよい。